(57)【要約】【課題】電子機器を機器収納容器に載置する際に容易に位置合わせができ、効率よく給電できる。【解決手段】端部に無線により受電する受電コイルを有する電子ペンを収納するペントレイ１１０であって、電子ペンが載置される載置面１１１と、載置面１１１に接続され、載置面１１１とともに容器を形成する複数の側面１１２〜１１５と、載置面１１１に電子ペンが載置された場合に電子ペンの端部が接する側面１１２に、載置された電子ペンの受電コイルに沿う方向に設けられた送電コイル１０２と、を備える。【選択図】図６
2019106841.tif 000002
【特許請求の範囲】
【請求項１】
端部に無線により受電する受電コイルを有する電子機器を収納する機器収納容器であって、
前記電子機器が載置される載置部と、
前記載置部に接続され、前記載置部とともに容器を形成する複数の側面と、
前記載置部に前記電子機器が載置された場合に当該電子機器の前記端部が接する側面に、載置された前記電子機器の前記受電コイルに沿う方向に設けられた送電コイルと、
を備える機器収納容器。
【請求項２】
前記送電コイルは、前記載置部の長手方向の両端部に接続された側面それぞれに設けられている、請求項１に記載の機器収納容器。
【請求項３】
前記複数の側面により形成された開口部の長手方向の長さは、前記電子機器の長手方向の長さより長く、
前記載置部は、長手方向に沿って傾斜し、
前記送電コイルは、前記載置部の傾斜下方側に位置する側面に設けられている、請求項１に記載の機器収納容器。
【請求項４】
前記電子機器は、長手方向の中心から前記端部に向かって所定距離の位置に重心が設けられ、
前記載置部は、中央から長手方向の両端部に向かってそれぞれ傾斜し、
前記送電コイルは、前記載置部の傾斜下方の両端部に接続された側面にそれぞれ設けられている、請求項１に記載の機器収納容器。
【請求項５】
前記載置部は、前記載置部に前記電子機器が載置された場合に前記送電コイルが設けられた側面に向けて前記電子機器を搬送する搬送機構を有する、請求項３または４に記載の機器収納容器。
【請求項６】
前記搬送機構は、前記載置部に所定間隔で複数備えられ、前記電子機器を搬送する方向に回転するローラを含む、請求項５に記載の機器収納容器。
【請求項７】
前記搬送機構は、さらに、複数の前記ローラに装着されたベルトを含む、請求項６に記載の機器収納容器。
【請求項８】
前記電子機器が前記載置部に載置されたことを検知する載置検知部と、
前記電子機器が前記送電コイルの設けられた側面に接したことを検知する接触検知部と、
前記載置検知部により前記電子機器が検知された場合、前記電子機器を前記送電コイルに向けて移動するように前記搬送機構の駆動を開始し、前記載置検知部により前記電子機器が検知されなくなった場合、または前記接触検知部により前記電子機器が前記側面に接したことが検知された場合、前記搬送機構の駆動を停止する制御を行う搬送制御部と、をさらに備える、請求項５〜７のいずれか一つに記載の機器収納容器。
【請求項９】
前記載置部は、複数の前記電子機器が収納される際に、それぞれの前記電子機器を所定の載置位置にガイドするガイド部材を有し、
前記送電コイルは、前記載置部に複数の前記電子機器が載置された場合に、それぞれの前記電子機器の前記端部が接する側面に、それぞれの前記電子機器の前記受電コイルに沿う方向に複数設けられている、請求項１に記載の機器収納容器。
【請求項１０】
電子機器と、前記電子機器を収納する機器収納容器とを有する給電システムであって、
前記電子機器は、
端部に無線により受電する受電コイルを備え、
前記機器収納容器は、
前記電子機器が載置される載置部と、
前記載置部に接続され、前記載置部とともに容器を形成する複数の側面と、
前記載置部に前記電子機器が載置された場合に当該電子機器の前記端部が接する側面に、載置された前記電子機器の前記受電コイルに沿う方向に設けられた送電コイルと、
を備える給電システム。
【請求項１１】
前記電子機器は、
前記受電コイルに流す電流を制御する第１電流制御部と、
前記機器収納容器との間で信号を送受信する第１送受信部と、をさらに備え、
前記機器収納容器は、
前記送電コイルに流す電流を制御する第２電流制御部と、
前記電子機器との間で信号を送受信する第２送受信部と、
前記電子機器が前記載置部に載置されたことを検知する載置検知部と、
前記電子機器が前記送電コイルの設けられた側面に接したことを検知する接触検知部と、をさらに備え、
前記第２電流制御部は、前記載置検知部により前記電子機器が検知された場合、前記送電コイルに直流電流を流して磁力を発生させ、
前記第２送受信部は、前記載置検知部により前記電子機器が検知された場合、前記受電コイルに直流電流を流す旨の指示信号を前記電子機器に送信し、
前記第１送受信部は、前記指示信号を受信し、
前記第１電流制御部は、前記指示信号を受信した場合、前記受電コイルに直流電流を流して磁力を発生させ、
前記第２電流制御部は、前記接触検知部により前記電子機器が前記側面に接したことが検知された場合、前記送電コイルに交流電流を流し、
前記第２送受信部は、前記接触検知部により前記電子機器が前記側面に接したことが検知された場合、前記受電コイルへ流している直流電流を停止する旨の給電開始信号を前記電子機器に送信し、
前記第１送受信部は、前記給電開始信号を受信し、
前記第１電流制御部は、前記給電開始信号を受信した場合、前記受電コイルに流している直流電流を停止し、受電させる、請求項１０に記載の給電システム。
【請求項１２】
前記送電コイルは、前記載置部の長手方向の両端部に接続された側面それぞれに設けられている、請求項１１に記載の給電システム。
【請求項１３】
前記載置検知部は、前記電子機器の重量を検知し、
前記第２電流制御部は、前記載置検知部により検知された重量と予め記憶された前記電子機器の重量とに基づいて前記電子機器であると判断した場合、前記送電コイルに交流電流を流し、
前記第２送受信部は、前記第２電流制御部により前記電子機器であると判断された場合、前記給電開始信号を前記電子機器に送信する、請求項１１または１２に記載の給電システム。
【請求項１４】
前記接触検知部は、磁気センサの機能を有し、外的要因によって前記受電コイルと前記送電コイルとの接触を検知できない場合、その旨を通知する、請求項１１〜１３のいずれか一つに記載の給電システム。
【請求項１５】
前記電子機器は、長手方向の中心より前記受電コイルが設けられた方向に移動した位置に重心が設けられている、請求項１０〜請求項１４のいずれか一つに記載の給電システム。
【発明の詳細な説明】
【技術分野】
【０００１】
本発明は、機器収納容器、および給電システムに関する。
【背景技術】
【０００２】
従来、液晶やプラズマなどのフラットパネルやプロジェクタを用いた４０インチ〜６０インチ程度のディスプレイに、タッチパネルを搭載した、いわゆる「電子情報ボード」が製品として知られている。
【０００３】
例えば、電子情報ボードは、本体、および電子ペン（電子機器）を備え、ケーブルによりユーザのＰＣ（Personal  Computer）等に接続されて構成されている。また、本体には、映像を表示するディスプレイと、電子ペンを載置して収納するペントレイ（機器収納容器）が付いている。そして、電子ペンがディスプレイに接触した位置座標を検知すると、当該座標に電子ペンの筆跡を描画する。このような電子情報ボードは、接続されたＰＣの画面をディスプレイに大きく映すことができ、例えば、企業や行政機関の会議におけるプレゼンテーションや教育機関等で用いられている。
【０００４】
ここで、上述した電子ペンは、電池が備えられており、当該電池の残量がなくなると電子ペンから取り外して交換したり、充電しなければならず、ユーザにとって手間がかかるという問題があった。
【０００５】
そこで、電子ペンのような電子機器に対して電源から無線で電力を供給する技術として、ワイヤレス給電が知られている。これは、給電の際に、電源コードの配線や電池の交換が不要になるといったメリットがある。
【０００６】
具体的には、例えば、電動歯ブラシにワイヤレス給電を行う電動歯ブラシのためのすすぎグラスと充電器との組み合わせ（以下、組み合わせと称する。）が知られている（特許文献１参照）。この特許文献２の組み合わせは、送電器の上にコップ状の器を設置する構成となっており、歯磨き後に口をすすぐコップと充電時に歯ブラシを置く器とを共通化している。そして、歯ブラシの柄の端部に受電コイルを内蔵してワイヤレス給電を行っている。
【発明の概要】
【発明が解決しようとする課題】
【０００７】
しかしながら、特許文献１のように、電子ペンの置き場をコップ形状にすると、ユーザが狭いコップ形状の口に電子ペンを入れたり、電子ペンの向きを確認する作業が必要となり手間が生じてしまう。
【０００８】
本発明は、上記に鑑みてなされたものであって、電子機器を機器収納容器に載置する際に容易に位置合わせができ、効率よく給電できる機器収納容器、および給電システムを得ることを目的とする。
【課題を解決するための手段】
【０００９】
上述した課題を解決し、目的を達成するために、本発明は、端部に無線により受電する受電コイルを有する電子機器を収納する機器収納容器であって、前記電子機器が載置される載置部と、前記載置部に接続され、前記載置部とともに容器を形成する複数の側面と、前記載置部に前記電子機器が載置された場合に当該電子機器の前記端部が接する側面に、載置された前記電子機器の前記受電コイルに沿う方向に設けられた送電コイルと、を備える。
【発明の効果】
【００１０】
本発明によれば、電子機器を機器収納容器に載置する際に容易に位置合わせができ、効率よく給電できるという効果を奏する。
【図面の簡単な説明】
【００１１】
【図１】図１は、第１の実施形態の電子情報ボードの全体構成図である。
【図２】図２は、電磁誘導方式の原理と構成を示す図である。
【図３】図３は、第１の実施形態の電子情報ボードのハードウェア構成を示す図である。
【図４】図４は、第１の実施形態の電子情報ボードの機能構成を示すブロック図である。
【図５】図５は、電子ペンの構成例を示す図である。
【図６】図６は、第１の実施形態のペントレイとその周辺の構成例を示す図である。
【図７】図７は、第２の実施形態のペントレイとその周辺の構成例を示す図である。
【図８】図８は、電子ペンの重心に関する説明図である。
【図９】図９は、第３の実施形態のペントレイとその周辺の構成例を示す図である。
【図１０】図１０は、第４の実施形態のペントレイとその周辺の構成例を示す図である。
【図１１】図１１は、ペントレイの断面図である。
【図１２】図１２は、第５の実施形態のペントレイとその周辺の構成例を示す図である。
【図１３】図１３は、ペントレイの断面図である。
【図１４】図１４は、第６の実施形態のペントレイとその周辺の構成例を示す図である。
【図１５】図１５は、ペントレイの断面図である。
【図１６】図１６は、第６の実施形態の電子情報ボードの機能構成を示すブロック図である。
【図１７】図１７は、本実施形態の電子情報ボードにおける電子ペンの搬送処理の流れを示すフローチャートである。
【図１８】図１８は、第７の実施形態の電子情報ボードの機能構成を示すブロック図である。
【図１９】図１９は、第７の実施形態のペントレイとその周辺の構成例を示す図である。
【図２０】図２０は、ペントレイの断面図である。
【図２１】図２１は、アンペールの法則に関する説明図である。
【図２２】図２２は、第８の実施形態のペントレイとその周辺の構成例を示す図である。
【図２３】図２３は、第８の実施形態の電子情報ボードの機能構成を示すブロック図である。
【図２４】図２４は、本実施形態の電子情報ボードにおける電子ペンの給電処理の流れを示すフローチャートである。
【発明を実施するための形態】
【００１２】
以下に添付図面を参照して、機器収納容器、および給電システムの実施形態を詳細に説明する。以下の実施形態では、電子ペンを電子機器の一例とし、電子ペンを載置して収納するペントレイを機器収納容器の一例とし、電子ペンおよびペントレイを含む電子情報ボードについて説明する。
【００１３】
（第１の実施形態）
電子情報ボードは、例えば、ディスプレイ画面に電子ペンで文字や図形を筆記できる手書き機能が備わっている。この手書き機能の活用方法としては、ディスプレイ上にまっさらなキャンバス画面を映してその上に手書きする方法、ディスプレイ上に接続したパソコンの画面を映してその上に手書きする方法、などがある。また、電子情報ボードには手書きした画面を保存する機能も備わっている。
【００１４】
このような手書き機能を活用することで、例えば、オフィスの会議等において、説明のための表示資料を操作しながら、適宜画面上に直接指摘事項等の書き込みを行い、さらに必要に応じ書き込みを含む画面内容を記録することができる。その結果、会議終了時に画面内容を振り返り、画面内容を再利用することで効率的に結論などをまとめることができるようになる。
【００１５】
図１は、第１の実施形態の電子情報ボードの全体構成図である。図１に示すように、電子情報ボード１は、本体２００と、電子ペン３００と、ペントレイ１１０と、ユーザが利用するＰＣ４ａ、４ｂとを備えて構成されている。電子情報ボード１およびＰＣ４ａ、４ｂは、それぞれケーブル５ａ、５ｂによって接続されている。
【００１６】
本体２００は、ＰＣ４ａ、４ｂからの表示画像をディスプレイ（表示部）２０１に表示するとともに、ユーザが生成する描画画像を表示可能な装置である。また、本体２００は、ディスプレイ２０１に対する接触によってユーザ操作イベントを発生させ、それに応じて表示内容を変更する。
【００１７】
ＰＣ４ａ、４ｂは、ディスプレイ２０１に表示すべき画像（表示画像）を提供する。ＰＣ４ａ、４ｂは、画像信号を出力する端子を備えており、ＰＣ４ａ、４ｂの表示画像を形成する画像信号を所定のレート（例えば、毎秒３０フレーム）で本体２００に供給する。本実施形態では、ＰＣ４ａ、４ｂは、端子として出力端子を備えており、ケーブル５ａ、５ｂを介して画像信号を本体２００に送信することができる。
【００１８】
電子ペン３００は、ペン先からの圧力を検知し、その結果を圧力検知信号として本体２００に無線で送信する。本体２００では、ディスプレイ２０１の表面に取り付けられたタッチパネルからの位置座標検知信号、および電子ペン３００からの圧力検知信号の両方を入手したとき、ディスプレイ２０１上で検知された座標にペンの筆跡から描画する。
【００１９】
また、タッチパネルからの位置座標検知信号のみしか入手していないときは、ディスプレイ２０１に接触しているのが電子ペン３００以外の指などであると判断し、ペンの筆跡は描画しない。
【００２０】
ペントレイ１１０は、電子ペン３００を載置して収納する容器（トレイ）である。本実施形態の電子情報ボード１は、ペントレイ１１０に電子ペン３００が収納された場合に、ペントレイ１１０から電子ペン３００に対してワイヤレス給電を行う。すなわち、ペントレイ１１０には送電コイルが内蔵されており、電子ペン３００に内蔵の受信コイルに対し電流を誘導させることで電力を無線で供給する。
【００２１】
ここで、電子ペン３００の置き場として、本実施形態のペントレイ１１０のように、電子ペン３００を載置して収納する容器（トレイ）が好適な理由について説明する。例えば、電子ペンの置き場をコップ形状の容器とした場合、その置き場は利便性から電子情報ボードのディスプレイの横に設置すると想定される。しかし、一般的に横長形状のディスプレイの横にコップ形状の置き場を設置すると、電子情報ボード全体の横幅が広くなり、会議室などへの設置に制約がでてきてしまう。また、電子ペンの置き場をコップ形状の容器にすると、ユーザが狭いコップ形状の口に電子ペンを入れたり、電子ペンの向きを確認する作業が必要となり、手間が生じてしまう。
【００２２】
また、本実施形態のようなペントレイ１１０に、例えば、クリップ機構が付属された電子ペンを、当該クリップ機構がペントレイの底面と接するように載置することで給電を行う構成について説明する。このような構成において電子ペンをペントレイに載置しても、電子ペンのクリップ機構が常にペントレイの底面と接する状態で静止するとは限らない。このため、必ずしもペントレイから電子ペンへの送電効率を高められるとは限らない。つまり、例えば、クリップ機構がペントレイの内側側面に接する場合もあるため、受電コイルの向きが常に一定とはならない。このように、送電コイルと受電コイルの位置関係が平行にならないと充電ができなくなってしまう。
【００２３】
次に、ワイヤレス給電について説明する。ワイヤレス給電は、電子ペン３００などの電子機器に対して電源から無線で電力を供給する技術であり、電源コードの配線や電池の交換が不要になるといったメリットがある。このワイヤレス給電技術を取り入れた製品として、電動歯ブラシ、腕時計、携帯端末などがすでに知られており、さらに将来的にはノートＰＣ、電気自動車などへの活用が期待されている。また、本実施形態のような電子情報ボード１の電子ペン３００に対しても同様に活用できる技術である。
【００２４】
ワイヤレス給電の方式には、電磁誘導方式、電磁共鳴方式、電波方式など様々な種類が存在する。その中でも電磁誘導方式は他方式に比べて標準規格を早期に制定されたこともあり、現在実用化されているワイヤレス給電製品はこの電磁誘導方式を採用していることが多い。以下に、ワイヤレス給電の電磁誘導方式について説明する。
【００２５】
図２は、電磁誘導方式の原理と構成を示す図である。電磁誘導方式は、送電側と受電側にそれぞれコイルを備えた構成になっている。電磁誘導方式は、図２に示すように、送電側のコイルαと受電側のコイルβを十分に近づけ、送電側のコイルαに交流電流を流し、コイルαの中に磁束を生じさせ、結合した受電側のコイルβに交流電流を誘導する方式である。これは、コイルα、βを貫く磁束に変化を与えると起電力が発生するというファラデーの法則を利用している。
【００２６】
送電側のコイルαの前段には、交流電流を発生させるインバータがある。また、受電側のコイルβの後段には交流電流を直流電流に変換する整流回路があり、更にその後段に直流電流を蓄電するバッテリがある。この方式で電力伝送するには、送電側のコイルαと受電側のコイルβとを３０ｍｍ程度まで近づける必要がある。また、送電側のコイルαと受電側のコイルβを精度よく位置合わせしなければ、受電側のコイルβを貫く磁束を確保できず、伝送効率が低くなるというデメリットもある。
【００２７】
このように、電子情報ボード１では、ペントレイ１１０から電子ペン３００に無線で給電する構成となっているため、電池の残量が少なくなったときにユーザが電池交換するという手間を減らすことができる。また、有線での充電のように送電側と受電側の充電端子をキッチリ嵌合させる必要がなく、電子ペン３００を載置する位置にある程度の自由度を持たせることができる。さらに、有線での充電のように送電側と受電側の充電端子の磨耗により充電ができなくなるリスクを回避することができる。
【００２８】
次に、電子情報ボード１の詳細について説明する。図３は、第１の実施形態の電子情報ボードのハードウェア構成を示す図である。図３に示すように、電子情報ボード１は、ＣＰＵ１１と、ＲＯＭ１２と、ＲＡＭ１３と、通信Ｉ／Ｆ１４と、電子ペン３００と、ディスプレイ２０１と、インバータ２３０とを備える。
【００２９】
ＣＰＵ１１は、電子情報ボード１の動作を統括的に制御するものであり、例えば、Ｗｉｎｄｏｗｓ（登録商標）シリーズ、ＵＮＩＸ（登録商標）、ＬＩＮＵＸ（登録商標）などのＯＳを動作させ、これらのＯＳの管理下でＣ、Ｃ＋＋、Ｊａｖａ（登録商標）、ＪａｖａＳｃｒｉｐｔ（登録商標）などのプログラム言語で記述されたプログラムを実行する。
【００３０】
ＲＯＭ１２は、ＢＩＯＳ等のブートプログラムなどの各種データを記憶する不揮発性のメモリである。ＲＡＭ１３は、ＤＲＡＭやＳＲＡＭ等の主記憶装置であり、ＣＰＵ１１が実行する各種の処理の作業領域（ワークエリア）として機能する揮発性のメモリである。ＣＰＵ１１は、ＲＯＭ１２からプログラムを読み出し、ＲＡＭ１３に展開して実行する。
【００３１】
通信Ｉ／Ｆ１４は、ネットワークと接続するためのインタフェースである。本実施形態の通信Ｉ／Ｆ１４は、例えば、画像入力端子２１１ａ、２１１ｂであって（図４参照）、ＰＣ４ａ、４ｂの表示画像を形成する画像信号を受信する端子である。画像入力端子２１１ａ、２１１ｂの形状は、例えば、ＶＧＡ（Video  Graphics  Array）コネクタ、ＨＤＭＩ（登録商標）（High-Definition  Multimedia  Interface）コネクタ、DisplayPortコネクタ等である。
【００３２】
ディスプレイ２０１は、各種の情報を表示するデバイスであり、例えば液晶型のディスプレイ装置などであり、表示面上に一体形成されたタッチパネル２１０（図４参照）を有している。タッチパネル２１０は、電子ペン３００により接触された位置座標を検知するものであり、検知した位置座標検知信号は、本体２００のイベント処理部２２８（図４参照）に送信される。
【００３３】
電子ペン３００は、ユーザがタッチパネル２１０を操作するのに用いられるデバイスであり、ペン先が押されるとその圧力を検知し、検知した圧力検知信号は、本体２００のイベント処理部２２８に無線で送信される。
【００３４】
インバータ２３０は、本体２００内部の直流電流を交流電流に変換するものである。そして、交流に変換された電流は、ペントレイ１１０に内蔵された送電コイルに流される（図６参照）。
【００３５】
次に、電子情報ボード１の機能構成について説明する。図４は、第１の実施形態の電子情報ボードの機能構成を示すブロック図である。図４に示すように、本実施形態の電子情報ボード１は、画像取得部２２３と、レイアウト管理部２２９と、イベント処理部２２８と、描画生成部２２４と、アプリ画像生成部２２５と、画像合成部２２６と、表示制御部２２７と、を主に備えて構成されている。
【００３６】
画像取得部２２３は、ユーザのＰＣ４ａ、４ｂから表示画像を取得するものである。具体的には、画像取得部２２３は、ＰＣ４ａ、４ｂから、画像入力端子２１１ａ、２１１ｂを介して入力された表示画像の画像信号を受信する。また、画像取得部２２３は、画像信号の入力の有無を検知する機能を有しており、検知した画像信号の入力の有無を示す入力有無情報を、レイアウト管理部２２９に送出する。
【００３７】
レイアウト管理部２２９は、ＰＣ４ａ、４ｂから取得した表示画像を、画像合成部２２６により合成される各表示ウィンドウに重畳するか否かを判定し、判定結果を画像合成部２２６に送信する。重畳の判定基準は、画像取得部２２３からの入力有無情報であり、入力有りであれば重畳し、入力無しであれば重畳しない。
【００３８】
イベント処理部２２８は、タッチパネル２１０からの位置座標検知信号、および電子ペン３００からの圧力検知信号を受信して、それらの信号からイベントを判断するものである。具体的には、例えば、イベント処理部２２８は、電子ペン３００がディスプレイ２０１のどの部分に接触したかでイベントを判断する。
【００３９】
ディスプレイ２０１には、例えば、アプリ画像生成部２２５により描画されたボタンやメニューが表示されており、イベント処理部２２８は、電子ペン３００が当該ボタンやメニューに接触している場合、そのボタンやメニューが示す操作内容をイベントと判断して、レイアウト管理部２２９に送信する。また、イベント処理部２２８は、電子ペン３００がボタンやメニュー以外の場所に接触している場合、ユーザのペン描画と判断して、描画生成部２２４により生成される描画画像に反映させる。
【００４０】
描画生成部２２４は、イベント処理部２２８によりユーザのペン描画と判断された場合（電子ペン３００がタッチパネル２１０におけるボタンやメニュー以外の場所に接触している場合）、電子ペン３００から受信した圧力検知信号に基づいて描画画像を生成する。
【００４１】
アプリ画像生成部２２５は、ディスプレイ２０１に表示される画像として、電子情報ボード１の各種設定の操作内容を示すボタンやメニュー等の画像を生成する。
【００４２】
画像合成部２２６は、ディスプレイ２０１に表示すべき各種表示ウィンドウを生成するものである。具体的には、表示ウィンドウとしては、ＰＣ４ａ、４ｂから取得した表示画像を表示する表示ウィンドウ、ユーザのペン描画による描画画像を表示する表示ウィンドウ、電子情報ボード１の各種設定の操作内容を示すボタンやメニュー等を表示する表示ウィンドウなどがある。画像合成部２２６は、これらの表示ウィンドウを重畳（合成）し、ディスプレイ２０１に表示する合成画像を生成する。
【００４３】
なお、ＰＣ４ａ、４ｂから取得した表示画像は画像取得部２２３から、ユーザのペン描画による描画画像は描画生成部２２４から、電子情報ボード１の各種設定の操作内容を示すボタンやメニュー等はアプリ画像生成部２２５から受け取る。
【００４４】
表示制御部２２７は、ディスプレイ２０１に画像等の各種情報を表示する制御を行う。本実施形態では、表示制御部２２７は、画像合成部２２６により生成された合成画像を、ディスプレイ２０１に表示する。
【００４５】
次に、電子ペン３００の詳細について説明する。図５は、電子ペンの構成例を示す図である。図５に示すように、電子ペン３００は、バッテリ３１と、電源回路３２と、ペン先３３と、圧力センサ３４と、信号処理回路３５と、信号送信部３６と、整流回路３７と、受電コイル３８とから構成されている。また、電子ペン３００は、図５に示すように、長手方向の長さがＬ０、短手方向の長さがＷ０となっている。
【００４６】
受電コイル３８は、本体２００の送電コイル１０２、１０３（図６参照）から送出された電力を受け取るものであり、電子ペン３００のペン尻に配置されている。受電コイル３８は、コイルの中心部に磁束が発生すると電流が生じ、その電流を整流回路３７に送る。
【００４７】
整流回路３７は、受電コイル３８から受けた交流電流を直流電流に変換し、バッテリ３１に送る。
【００４８】
バッテリ３１は、整流回路３７から受けた電流を内部に蓄電する。
【００４９】
電源回路３２は、バッテリ３１から取得した電源電圧を圧力センサ３４、信号処理回路３５、信号送信部３６で用いられる電圧値に変換し、出力する。
【００５０】
ペン先３３は、図中の上下方向（電子ペン３００の長手方向）に可動域をもつペン先であり、ばねなどの弾性体を用いた機構により、下方向に押し下げる力が与えられている。そして、ペン先３３がディスプレイ２０１に押し付けられると、ばねの力に逆らって図中の上方向へ移動し、圧力センサ３４を押す。
【００５１】
圧力センサ３４は、ペン先３３からの圧力を検知し、その結果を圧力検知信号として信号処理回路３５に送信する。
【００５２】
信号処理回路３５は、圧力センサ３４からの圧力検知信号を受信すると、信号送信部３６へ圧力検知信号の送信命令である制御信号を送信する。
【００５３】
信号送信部３６は、赤外線信号などの無線信号を送信するものであり、信号処理回路３５から制御信号を受信すると、圧力検知信号を本体２００に送信する。
【００５４】
ここで、赤外線信号とは、キャリア周波数と呼ばれる一定の周波数で赤外線を出している期間と出していない期間で構成されている。接触しているときは赤外線を出し、接触していないときは赤外線を出さないことで、圧力検知信号を赤外線信号に反映する。
【００５５】
次に、ペントレイ１１０の詳細について説明する。図６は、第１の実施形態のペントレイとその周辺の構成例を示す図である。
【００５６】
ペントレイ１１０は、電子ペン３００などの電子機器を収納する機器収納容器の一例であって、電子情報ボード１の本体２００のディスプレイ２０１の下部に取り付けられている（図１参照）。図６に示すように、ペントレイ１１０は、載置面１１１と、側面１１２、１１３、１１４、１１５と、送電コイル１０２、１０３とを備えている。
【００５７】
載置面１１１は、電子ペン３００が載置されるペントレイ１１０の底面であって、載置部の一例である。
【００５８】
側面１１２〜１１５は、載置面１１１の各辺に接続され、載置面１１１とともに容器を形成するペントレイ１１０の側面である。側面１１２〜１１５により、電子ペン３００を収納可能なペントレイ１１０の開口部が形成される。この開口部は、ペントレイ１１０の長手方向の内寸Ｌ１が電子ペン３００の長さＬ０と同等（Ｌ１≒Ｌ０）であり、ペントレイ１１０に電子ペン３００が収納されると、ペン尻がペントレイ１１０の側面１１２または側面１１３の内壁に接する、または近接する構成になっている。ただし、ペントレイ１１０の長手方向の内寸Ｌ１が電子ペン３００の長さＬ０より小さくなっていることはない。また、ペントレイ１１０の短手方向の内寸Ｗ１が電子ペン３００の太さＷ０と同等かそれ以上（Ｗ１≧Ｗ０）となっている。
【００５９】
送電コイル１０２、１０３は、載置面１１１に電子ペン３００が載置された場合、電子ペン３００の受電コイル３８が設けられた端部が接する側の側面１１２、１１３に設けられている。また、送電コイル１０２、１０３は、載置面１１１に載置された電子ペン３００の受電コイル３８に沿う方向、すなわち受電コイル３８に平行になるよう設けられている。送電コイル１０２、１０３は、インバータ２３０から受けた交流電流を流し、周辺に磁束を生じさせる。
【００６０】
本実施形態では、電子ペン３００の長手方向がペントレイ１１０の長手方向になるように電子ペン３００を載置して収納する。また、電子ペン３００は、ペン先３３が側面１１３に向く方向、およびペン先３３が側面１１２に向く方向のいずれにも載置される。従って、送電コイル１０２、１０３は、載置面１１１の長手方向の両端部に接続された側面１１２、１１３それぞれに設けられている。
【００６１】
このように、第１の実施形態の電子情報ボード１では、電子ペン３００の長さとペントレイ１１０の長手方向の内寸が同等であって、ペントレイ１１０の両端部の側面１１２、１１３に送電コイル１０２、１０３が設けられている。従って、ユーザは電子ペン３００をペントレイ１１０の長手方向に沿って載置すれば、電子ペン３００の向きに関係なく、電子ペン３００の受電コイル３８とペントレイ１１０の送電コイル１０２、１０３の位置合わせができる。このため、他の構成部品を増加させることなく、電子ペン３００をペントレイ１１０に載置する際に容易に位置合わせができ、効率よく給電することができる。
【００６２】
（第２の実施形態）
第１の実施形態の電子情報ボードは、ペントレイの両端部の側面に送電コイルを設けた構成となっていた。これに対し、本実施形態の電子情報ボードでは、ペントレイの載置面を傾斜させるとともに、傾斜下方側の側面に送電コイルを設けた構成となっている。
【００６３】
電子情報ボードの全体構成、ハードウェア構成、機能構成、電子ペンの構成については、第１の実施形態と同様である（図１〜５参照）。
【００６４】
以下では、本実施形態のペントレイ１２０の詳細について説明する。図７は、第２の実施形態のペントレイとその周辺の構成例を示す図である。
【００６５】
ペントレイ１２０は、電子情報ボード１の本体２００のディスプレイ２０１の下部に取り付けられている（図１参照）。図７に示すように、ペントレイ１２０は、載置面１２１と、側面１２２、１２３、１２４、１２５と、送電コイル１０２とを備えている。
【００６６】
載置面１２１は、電子ペン３００が載置されるペントレイ１２０の底面であって、載置部の一例である。載置面１２１は、長手方向に沿って深くなるように傾斜している。本実施形態では、載置面１２１は、側面１２３に接続された一端から、側面１２２に接続された他端に向かって載置面１２１が深くなるように傾斜している。従って、電子ペン３００は、受電コイル３８を側面１２２側に向けて載置され、自重により傾斜している載置面１２１上を移動することで、ペン尻とペントレイ１２０の側面１２２の内壁に接する、または近接する構成となっている。
【００６７】
側面１２２〜１２５は、載置面１２１の各辺に接続され、載置面１２１とともに容器を形成するペントレイ１２０の側面である。側面１２２〜１２５により、電子ペン３００を収納可能なペントレイ１２０の開口部が形成される。この開口部は、ペントレイ１２０の長手方向の内寸Ｌ２が電子ペン３００の長さＬ０以上（Ｌ２＞Ｌ０）となっている。また、ペントレイ１２０の短手方向の内寸Ｗ２が電子ペン３００の太さＷ０と同等かそれ以上（Ｗ２≧Ｗ０）となっている。
【００６８】
送電コイル１０２は、載置面１２１の傾斜下方側に位置する側面１２２、すなわち載置面１２１が深い方の側面１２２に設けられている。また、送電コイル１０２は、電子ペン３００が載置された場合、電子ペン３００の受電コイル３８に沿う方向、すなわち受電コイル３８に平行になるよう設けられている。送電コイル１０２は、インバータ２３０から受けた交流電流を流し、周辺に磁束を生じさせる。
【００６９】
本実施形態では、電子ペン３００の長手方向がペントレイ１２０の長手方向になるように電子ペン３００を載置して収納する。また、電子ペン３００は、ペン先３３が側面１２３に向く方向（すなわち、ペン尻が側面１２２に向く方向）に載置されると、傾斜している載置面１２１を側面１２２に向けて移動する。従って、送電コイル１０２は、側面１２２に設けられている。
【００７０】
このように、第２の実施形態の電子情報ボード１では、電子ペン３００の長さとペントレイ１２０の長手方向の内寸が同等かそれ以上で、載置面１２１が側面１２２に向かって深くなる方に傾斜され、ペントレイ１２０の傾斜下側の側面１２２に送電コイル１０２が設けられている。従って、ユーザは電子ペン３００をペントレイ１２０の長手方向に沿わせ、ペン尻を側面１２２に向けて載置すれば、電子ペン３００が自重により傾斜して移動し、電子ペン３００の受電コイル３８とペントレイ１２０の送電コイル１０２の位置合わせができる。このため、他の構成部品を増加させることなく、電子ペン３００をペントレイ１２０に載置する際に容易に位置合わせができ、効率よく給電することができる。
【００７１】
また、第２の実施形態のペントレイ１２０は、第１の実施形態のペントレイ１１０と比較して開口部が広くなり、ユーザが電子ペン３００を置きやすくなる。さらに、電子ペン３００をペントレイ１２０の長手方向のどこに置いても、電子ペン３００がペントレイ１２０の傾斜を滑って底の深いところへ収まり、電子ペン３００の受電コイル３８とペントレイ１２０の送電コイル１０２の位置合わせができる。そのため、ユーザは電子ペン３００をペントレイ１２０に置く際、置く位置を気にする必要がなくなる。
【００７２】
（第３の実施形態）
第２の実施形態の電子情報ボードでは、ペントレイの載置面を傾斜させるとともに、傾斜下方側の側面に送電コイルを設けた構成となっていた。これに対し、本実施形態の電子情報ボードでは、ペントレイの載置面を中央から長手方向の両端部に向けてそれぞれ傾斜させるとともに当該両端部の側面に送電コイルを設けた構成となっている。
【００７３】
電子情報ボードの全体構成、ハードウェア構成、機能構成、電子ペンの構成については、第１の実施形態と同様である（図１〜５参照）。
【００７４】
さらに、本実施形態の電子ペン３００は、長手方向（長さ方向）の中心から、端部であるペン尻に向かって所定距離の位置に重心Ｃが設けられている。すなわち、電子ペン３００は、長手方向の中心より受電コイル３８が設けられた方向に移動した位置に重心Ｃが設けられている。図８は、電子ペンの重心に関する説明図である。内部の構成は、上述したように、第１の実施形態と同様である（図５参照）。
【００７５】
図８に示すように、電子ペン３００は長手方向の中心（電子ペン３００の長さがＬ０とすると、Ｌ０／２の位置）から、ペン尻の方へ距離ｘずれた位置に重心Ｃが設けられている。つまり、図８では、電子ペン３００の中心から重心Ｃまでの距離がｘとおく。
【００７６】
次に、本実施形態のペントレイ１３０の詳細について説明する。図９は、第３の実施形態のペントレイとその周辺の構成例を示す図である。
【００７７】
ペントレイ１３０は、電子情報ボード１の本体２００のディスプレイ２０１の下部に取り付けられている（図１参照）。図９に示すように、ペントレイ１３０は、載置面１３１ａ、１３１ｂと、側面１３２、１３３、１３４、１３５と、送電コイル１０２、１０３とを備えている。
【００７８】
載置面１３１ａ、１３１ｂは、電子ペン３００が載置されるペントレイ１３０の底面であって、載置部の一例である。載置面１３１ａ、１３１ｂは、長手方向の両端部に向かって深くなるようにそれぞれ傾斜している。本実施形態では、載置面１３１ａは、中心から側面１３３に向かって深くなるように傾斜し、載置面１３１ｂは、中心から側面１３２に向かって深くなるように傾斜している。従って、電子ペン３００は、受電コイル３８を側面１３２または側面１３３側に向けて載置され、自重により傾斜している載置面１３１ａまたは１３１ｂ上を移動することで、ペン尻とペントレイ１３０の側面１３２または１３３の内壁に接する、または近接する構成となっている。
【００７９】
側面１３２〜１３５は、載置面１３１ａ、１３１ｂの各辺に接続され、載置面１３１ａ、１３１ｂとともに容器を形成するペントレイ１３０の側面である。側面１３２〜１３５により、電子ペン３００を収納可能なペントレイ１３０の開口部が形成される。この開口部は、ペントレイ１３０の長手方向の内寸Ｌ３が電子ペン３００の長さＬ０と同等かそれ以上（Ｌ３≧Ｌ０）となっている。また、ペントレイ１３０の短手方向の内寸Ｗ３が電子ペン３００の太さＷ０と同等かそれ以上（Ｗ３≧Ｗ０）となっている。
【００８０】
ここで、ペントレイ１３０の寸法Ｌ３、電子ペン３００の長さＬ０、重心位置ｘの間には以下の式（１）が成り立つ。
Ｌ０／２＋ｘ＞Ｌ３／２        …式（１）
【００８１】
この式（１）に示すように、電子ペン３００をペントレイ１３０の開口部のどの位置に置いても、ペン先３３と重心Ｃはペントレイ１３０の中央を挟んで反対側に位置することになる。従って、電子ペン３００はペントレイ１３０に載置されると、受電コイル３８が設けられたペン尻の方に向かって移動し、ペン尻が側面１３２または側面１３３に接触することになる。
【００８２】
送電コイル１０２、１０３は、載置面１３１ａ、１３１ｂの傾斜下方側に位置する両端部の側面１３２、１３３に設けられている。また、送電コイル１０２、１０３は、電子ペン３００が載置された場合、電子ペン３００の受電コイル３８に沿う方向、すなわち受電コイル３８に平行になるよう設けられている。送電コイル１０２は、インバータ２３０から受けた交流電流を流し、周辺に磁束を生じさせる。
【００８３】
本実施形態では、電子ペン３００の長手方向がペントレイ１３０の長手方向になるように電子ペン３００を載置して収納する。また、電子ペン３００は、ペン先３３が側面１１３に向く方向、およびペン先３３が側面１１２に向く方向のいずれかに載置されると、重心Ｃのあるペン尻が、傾斜している載置面１３１ａ、１３１ｂを側面１３３または側面１３２に向けて移動する。従って、送電コイル１０２、１０３は、側面１３３および側面１３２に設けられている。
【００８４】
このように、第３の実施形態の電子情報ボード１では、電子ペン３００の長さとペントレイ１３０の長手方向の内寸が同等かそれ以上で、載置面１３１ａ、１３１ｂが側面１３３、１３２に向かって深くなる方に傾斜され、ペントレイ１３０の傾斜下側の側面１３３、１３２に送電コイル１０２、１０３がそれぞれ設けられている。従って、ユーザは電子ペン３００をペントレイ１３０の長手方向に沿って載置すれば、電子ペン３００が自重と重心Ｃにより傾斜を移動し、電子ペン３００の向きに関係なく、電子ペン３００の受電コイル３８とペントレイ１３０の送電コイル１０２、１０３の位置合わせができる。このため、他の構成部品を増加させることなく、電子ペン３００をペントレイ１３０に載置する際に容易に位置合わせができ、効率よく給電することができる。
【００８５】
また、第３の実施形態のペントレイ１３０は、電子ペン３００をペントレイ１３０の長手方向のどこに置いても、電子ペン３００がペントレイ１３０の傾斜を滑って底の深いところへ収まり、電子ペン３００の受電コイル３８とペントレイ１３０の送電コイル１０２、１０３の位置合わせができる。さらに、ペントレイ１３０に対して電子ペン３００の向きをどちらにして置いても、重心Ｃのあるペン尻側がペントレイ１３０のいずれかの端部に向かって滑るので、電子ペン３００の受電コイル３８とペントレイ１３０の送電コイル１０２、１０３の位置合わせができる。そのため、ユーザが電子ペン３００をペントレイ１３０に置く際、電子ペン３００の向きを気にする必要がなくなる。
【００８６】
（第４の実施形態）
第２の実施形態の電子情報ボードでは、ペントレイの載置面を傾斜させるとともに、傾斜下方側の側面に送電コイルを設けた構成となっていた。本実施形態の電子情報ボードでは、さらに、載置面に電子ペンを搬送する搬送機構を備えた構成となっている。
【００８７】
電子情報ボードの全体構成、ハードウェア構成、機能構成、電子ペンの構成については、第１の実施形態と同様である（図１〜５参照）。
【００８８】
以下に、本実施形態のペントレイ１４０の詳細について説明する。図１０は、第４の実施形態のペントレイとその周辺の構成例を示す図である。図１１は、ペントレイの断面図である。図１１は、図１０に示す座標系を参照すると、ペントレイ１４０をＸＹ平面で切断した断面図になっている。
【００８９】
ペントレイ１４０は、電子情報ボード１の本体２００のディスプレイ２０１の下部に取り付けられている（図１参照）。図１０、１１に示すように、ペントレイ１４０は、載置面１４１と、側面１２２、１２３、１２４、１２５と、送電コイル１０２とを備えている。ここで、側面１２２〜１２５、送電コイル１０２については、第２の実施形態と同様であるため説明を省略する。
【００９０】
載置面１４１は、電子ペン３００が載置されるペントレイ１４０の底面であって、載置部の一例である。載置面１４１は、長手方向に沿って深くなるように傾斜している。本実施形態では、載置面１４１は、側面１２３に接続された一端から、側面１２２に接続された他端に向かって載置面１４１が深くなるように傾斜している。
【００９１】
載置面１４１は、載置面１４１に電子ペン３００が載置された場合に送電コイル１０２が設けられた側面１２２に向けて電子ペン３００を搬送する搬送機構を有している。本実施形態の搬送機構は、載置面１４１に所定間隔で複数備えられ、電子ペン３００を搬送する方向に回転する複数のローラ１４６である。
【００９２】
ローラ１４６は、図１０、１１で示す座標系を参照すると、載置面１４１の短手方向であるＺ軸を軸にして、少なくとも図１１の矢印Ｒ方向に回転する。
【００９３】
従って、電子ペン３００は、受電コイル３８を側面１２２側に向けてローラ１４６上に載置された場合、電子ペン３００にかかる重力に従い、載置面１４１の傾斜とローラ１４６の回転により傾斜している載置面１４１を側面１２２に向かって移動し、ペン尻とペントレイ１４０の側面１２２の内壁に接する構成となっている。なお、本実施形態では、ローラ１４６が６つ備えられた構成となっているが、設置数やローラ同士の間隔は任意である。
【００９４】
このように、第４の実施形態の電子情報ボード１では、電子ペン３００の長さとペントレイ１４０の長手方向の内寸が同等かそれ以上で、ローラ１４６が設けられた載置面１４１が側面１２２に向かって深くなる方に傾斜され、ペントレイ１４０の傾斜下側の側面１２２に送電コイル１０２が設けられている。従って、ユーザは電子ペン３００をペントレイ１４０の長手方向に沿わせ、ペン尻を側面１２２に向けて載置すれば、電子ペン３００が重力とローラ１４６により傾斜して移動し、電子ペン３００の受電コイル３８とペントレイ１４０の送電コイル１０２の位置合わせができる。このため、他の構成部品を増加させることなく、電子ペン３００をペントレイ１４０に載置する際に容易に位置合わせができ、効率よく給電することができる。
【００９５】
また、第２の実施形態のペントレイ１２０と比較すると、ローラ１４６を設けたことで、電子ペン３００がペントレイ１４０の傾斜した載置面１４１を滑りやすくなり、電子ペン３００がペントレイ１４０の載置面１４１との摩擦により滑り落ちきれないことを防止することができる。その結果、ユーザが電子ペン３００をペントレイ１４０に無造作に置いた場合でも、電子ペン３００がペントレイ１４０の載置面１４１の深い方の端部に向かって移動し、電子ペン３００の受電コイル３８とペントレイ１４０の送電コイル１０２の位置合わせができる。
【００９６】
（第５の実施形態）
第４の実施形態の電子情報ボードでは、ペントレイの載置面を傾斜させ、傾斜下方側の側面に送電コイルを設けるとともに、載置面に電子ペンを搬送する搬送機構としてローラを備えた構成となっていた。本実施形態の電子情報ボードは、さらに、ローラにベルトを装着した構成となっている。
【００９７】
電子情報ボードの全体構成、ハードウェア構成、機能構成、電子ペンの構成については、第１の実施形態と同様である（図１〜５参照）。
【００９８】
以下に、本実施形態のペントレイ１５０の詳細について説明する。図１２は、第５の実施形態のペントレイとその周辺の構成例を示す図である。図１３は、ペントレイの断面図である。図１３は、図１２に示す座標系を参照すると、ペントレイ１５０をＸＹ平面で切断した断面図になっている。
【００９９】
ペントレイ１５０は、電子情報ボード１の本体２００のディスプレイ２０１の下部に取り付けられている（図１参照）。図１２、１３に示すように、ペントレイ１５０は、載置面１５１と、側面１２２、１２３、１２４、１２５と、送電コイル１０２とを備えている。ここで、側面１２２〜１２５、送電コイル１０２については、第２の実施形態と同様であるため説明を省略する。
【０１００】
載置面１５１は、電子ペン３００が載置されるペントレイ１５０の底面であって、載置部の一例である。載置面１５１は、長手方向に沿って深くなるように傾斜している。本実施形態では、載置面１５１は、側面１２３に接続された一端から、側面１２２に接続された他端に向かって載置面１５１が深くなるように傾斜している。
【０１０１】
載置面１５１は、載置面１５１に電子ペン３００が載置された場合に送電コイル１０２が設けられた側面１２２に向けて電子ペン３００を搬送する搬送機構を有している。本実施形態の搬送機構は、載置面１５１に所定間隔で複数備えられ、電子ペン３００を搬送する方向に回転する複数のローラ１４６と、複数のローラ１４６にまたがって装着されたベルト１５７とである。
【０１０２】
ローラ１４６は、図１２、１３で示す座標系を参照すると、載置面１５１の短手方向であるＺ軸を軸にして、少なくとも図１３の矢印Ｒ方向に回転する。ベルト１５７は、ローラ１４６のＲ方向の回転に従動して矢印Ｂ方向（図１３から見た場合は時計回り）に回転する。
【０１０３】
従って、電子ペン３００は、受電コイル３８を側面１２２側に向けてローラ１４６に装着されたベルト１５７上に載置された場合、電子ペン３００にかかる重力に従い、載置面１５１の傾斜とローラ１４６およびベルト１５７の回転により傾斜している載置面１５１を側面１２２に向かって移動し、ペン尻とペントレイ１５０の側面１２２の内壁に接する構成となっている。なお、本実施形態では、ローラ１４６が６つ備えられた構成となっているが、設置数やローラ同士の間隔は任意である。
【０１０４】
このように、第５の実施形態の電子情報ボード１では、電子ペン３００の長さとペントレイ１５０の長手方向の内寸が同等かそれ以上で、ローラ１４６およびベルト１５７が設けられた載置面１５１が側面１２２に向かって深くなる方に傾斜され、ペントレイ１５０の傾斜下側の側面１２２に送電コイル１０２が設けられている。従って、ユーザは電子ペン３００をペントレイ１５０の長手方向に沿わせ、ペン尻を側面１２２に向けて載置すれば、電子ペン３００が重力とローラ１４６およびベルト１５７により傾斜して移動し、電子ペン３００の受電コイル３８とペントレイ１５０の送電コイル１０２の位置合わせができる。このため、他の構成部品を増加させることなく、電子ペン３００をペントレイ１５０に載置する際に容易に位置合わせができ、効率よく給電することができる。
【０１０５】
また、第２の実施形態のペントレイ１２０と比較すると、ローラ１４６およびベルト１５７を設けたことで、電子ペン３００がペントレイ１５０の傾斜した載置面１５１を滑りやすくなり、電子ペン３００がペントレイ１５０の載置面１５１との摩擦により滑り落ちきれないことを防止することができる。また、第４の実施形態のペントレイ１４０の構成では、電子ペン３００がローラ１４６とローラ１４６との間にはまって止まってしまい、ペントレイ１４０の載置面１４１の深い方の端部に移動しない可能性もある。これに対して、本実施形態のペントレイ１５０の構成では、複数のローラ１４６にまたがってベルト１５７が装着されているため、電子ペン３００がローラ１４６とローラ１４６との間にはまって止まってしまうことがない。その結果、ユーザが電子ペン３００をペントレイ１５０に無造作に置いた場合でも、電子ペン３００がペントレイ１５０の載置面１５１の深い方の端部に向かって移動し、電子ペン３００の受電コイル３８とペントレイ１５０の送電コイル１０２の位置合わせができる。
【０１０６】
（第６の実施形態）
第５の実施形態の電子情報ボードでは、ペントレイの傾斜した載置面に、電子ペンを搬送する搬送機構としてローラおよびベルトを備えた構成となっていた。本実施形態の電子情報ボードは、ローラおよびベルトからなる搬送機構を制御する搬送制御部を備えた構成となっている。
【０１０７】
電子情報ボードの全体構成、ハードウェア構成、電子ペンの構成については、第１の実施形態と同様である（図１〜３、５参照）。
【０１０８】
まず、本実施形態のペントレイ１６０の詳細について説明する。図１４は、第６の実施形態のペントレイとその周辺の構成例を示す図である。図１５は、ペントレイの断面図である。図１４は、図１５に示す座標系を参照すると、ペントレイ１６０をＸＹ平面で切断した断面図になっている。
【０１０９】
ペントレイ１６０は、電子情報ボード１の本体２００のディスプレイ２０１の下部に取り付けられている（図１参照）。図１４、１５に示すように、ペントレイ１６０は、載置面１６１と、側面１６２、１２３、１２４、１２５と、送電コイル１０２と、ペン載置検知部１６８と、ペン接触検知部１６９と、を備えている。ここで、側面１２３〜１２５、送電コイル１０２については、第２の実施形態と同様であるため説明を省略する。
【０１１０】
側面１６２は、第２の実施形態の側面１２２と同様に、載置面１６１の辺に接続され、載置面１６１とともに容器を形成するペントレイ１６０の側面であり、さらに、ペン接触検知部１６９を備えている。
【０１１１】
ペン接触検知部１６９は、側面１６２の内壁側、すなわち電子ペン３００が接触する面に設けられている。そして、上述したように、ペン接触検知部１６９は、電子ペン３００がベルト１５７上を移動し側面１６２に接触したことを検知する。
【０１１２】
載置面１６１は、第５の実施形態と同様に、電子ペン３００が載置されるペントレイ１５０の底面であって、複数のローラ１４６およびベルト１５７を有し、さらに、ペン載置検知部１６８を備えている。
【０１１３】
ペン載置検知部１６８は、側面１２３に近い載置面１６１に設けられており、ベルト１５７上に電子ペン３００が載置されたことを検知する。
【０１１４】
次に、本実施形態の電子情報ボード１の機能構成について説明する。図１６は、第６の実施形態の電子情報ボードの機能構成を示すブロック図である。図１６に示すように、本実施形態の電子情報ボード１は、画像取得部２２３と、レイアウト管理部２２９と、イベント処理部２２８と、描画生成部２２４と、アプリ画像生成部２２５と、画像合成部２２６と、表示制御部２２７と、搬送制御部２９１を主に備えて構成されている。ここで、画像取得部２２３、レイアウト管理部２２９、イベント処理部２２８、描画生成部２２４、アプリ画像生成部２２５、画像合成部２２６、および表示制御部２２７の機能および構成は、第１の実施形態と同様である。
【０１１５】
また、本実施形態のペントレイ１６０は、第２の実施形態のペントレイ１２０に加え、ローラ１４６およびベルト１５７からなる搬送機構１６７と、ペン載置検知部１６８と、ペン接触検知部１６９とを備えている。
【０１１６】
搬送機構１６７は、第５の実施形態のローラ１４６およびベルト１５７により構成され、電子ペン３００を送電コイル１０２の方向へ搬送する。
【０１１７】
ペン載置検知部１６８は、電子ペン３００がペントレイ１６０に載置されたことを検知するものであり、具体的には、例えば、近接照度センサ、タッチセンサ、重さセンサなどが挙げられる。ペン載置検知部１６８は、載置検知部の一例である。
【０１１８】
ペン接触検知部１６９は、電子ペン３００が送電コイル１０２の設けられた側面１６２に接触したことを検知するものであり、具体的には、例えば近接照度センサ、タッチセンサなどが挙げられる。ペン接触検知部１６９は、接触検知部の一例である。
【０１１９】
搬送制御部２９１は、ペン載置検知部１６８とペン接触検知部１６９の検知結果に基づいて、搬送機構１６７（ローラ１４６およびベルト１５７）の駆動を制御する。具体的には、搬送制御部２９１は、ローラ１４６を図１５に示すＲ方向に回転駆動させることで、ローラ１４６にまたがるベルト１５７を矢印Ｂ方向に回転させ、搬送機構１６７を駆動させる。本実施形態では、搬送制御部２９１は、ペン載置検知部１６８により電子ペン３００が検知された場合、電子ペン３００を送電コイル１０２に向けて移動するように搬送機構１６７の駆動を開始する制御を行う。また、搬送制御部２９１は、ペン載置検知部１６８により電子ペン３００が検知されなくなった場合、またはペン接触検知部１６９により電子ペン３００が側面１６２に接したことが検知された場合、搬送機構１６７の駆動を停止する制御を行う。
【０１２０】
次に、電子ペン３００の搬送処理の流れについて説明する。図１７は、本実施形態の電子情報ボードにおける電子ペンの搬送処理の流れを示すフローチャートである。
【０１２１】
まず、搬送制御部２９１は、ペン載置検知部１６８がペントレイ１６０に電子ペン３００が載置されたことを検知したか否かを判断し（ステップＳ１０１）、検知していない場合（ステップＳ１０１：Ｎｏ）、検知するまで待機する。
【０１２２】
一方、電子ペン３００が載置されたことを検知した場合（ステップＳ１０１：Ｙｅｓ）、搬送制御部２９１は、搬送機構１６７（ローラ１４６およびベルト１５７）の駆動を開始する（ステップＳ１０２）。これにより、搬送機構１６７は、電子ペン３００が送電コイル１０２の方向に移動するようにローラ１４６およびベルト１５７を回転させ、電子ペン３００が搬送される。
【０１２３】
そして、搬送制御部２９１は、ペン載置検知部１６８がペントレイ１６０に電子ペン３００が載置されていることを検知しているか否かを判断し（ステップＳ１０３）、検知していない場合（ステップＳ１０３：Ｎｏ）、ステップＳ１０５に進む。この検知していない場合とは、例えばユーザにより載置されていた電子ペン３００が取り出された場合などである。
【０１２４】
一方、検知している場合（ステップＳ１０３：Ｙｅｓ）、搬送制御部２９１は、ペン接触検知部１６９が側面１６２に電子ペン３００が接触したことを検知したか否かを判断し（ステップＳ１０４）、検知していない場合（ステップＳ１０４：Ｎｏ）、ステップＳ１０３に戻って処理を繰り返す。
【０１２５】
一方、電子ペン３００が接触したことを検知した場合（ステップＳ１０４：Ｙｅｓ）、およびステップＳ１０３で電子ペン３００の載置が検知されなくなった場合（ステップＳ１０３：Ｎｏ）、搬送制御部２９１は、搬送機構１６７の駆動を停止し、電子ペン３００の搬送を停止させる（ステップＳ１０５）。電子ペン３００が側面１６２に接触して搬送が停止された場合は、電子ペン３００はその後給電される。
【０１２６】
このように、第６の実施形態の電子情報ボード１では、電子ペン３００の長さとペントレイ１６０の長手方向の内寸が同等かそれ以上で、ローラ１４６およびベルト１５７、ペン載置検知部１６８が設けられた載置面１６１が側面１６２に向かって深くなる方に傾斜され、ペントレイ１６０の傾斜下側の側面１６２に送電コイル１０２が設けられている。従って、ユーザは電子ペン３００をペントレイ１６０の長手方向に沿わせ、ペン尻を側面１６２に向けて載置すれば、当該載置が検知されてローラ１４６およびベルト１５７が駆動して電子ペン３００を搬送し、電子ペン３００の受電コイル３８とペントレイ１６０の送電コイル１０２の位置合わせができる。このため、電子ペン３００をペントレイ１６０に載置する際に容易に位置合わせができ、効率よく給電することができる。
【０１２７】
また、第５の実施形態のペントレイ１５０の構成では、載置面１５１の傾斜角度が小さい場合、電子ペン３００にかかる重力に基づく載置面１５１方向の分力が十分得られず、電子ペン３００がペントレイ１５０の載置面１５１の深い方の端部に移動しない可能性もある。これに対して、本実施形態のペントレイ１６０の構成では、搬送機構１６７を駆動させて電子ペン３００を搬送するため、確実に電子ペン３００が送電コイル１０２の方向に移動される。その結果、ユーザが電子ペン３００をペントレイ１６０に無造作に置いた場合でも、電子ペン３００がペントレイ１６０の載置面１６１の深い方の端部に向かって移動し、電子ペン３００の受電コイル３８とペントレイ１６０の送電コイル１０２の位置合わせができる。
【０１２８】
（第７の実施形態）
第１の実施形態の電子情報ボードは、ペントレイの両端部の側面に送電コイルを設けた構成となっていた。これに対し、本実施形態の電子情報ボードでは、複数の電子ペンをペントレイに載置できる構成となっている。本実施形態では、３本の電子ペンを載置する構成について説明するが、２本、４本以上の電子ペンを載置する構成としてもよい。
【０１２９】
電子情報ボードの全体構成、ハードウェア構成、電子ペンの構成については、第１の実施形態と同様である（図１〜３、５参照）。
【０１３０】
まず、本実施形態の電子情報ボード１の機能構成について説明する。図１８は、第７の実施形態の電子情報ボードの機能構成を示すブロック図である。図１８に示すように、本実施形態の電子情報ボード１では、３つのインバータ２３０ａ、２３０ｂ、２３０ｃを備えた構成となっている。なお、インバータ以外の構成については、第１の実施形態と同様であるため説明を省略する。
【０１３１】
次に、本実施形態のペントレイ１７０の詳細について説明する。図１９は、第７の実施形態のペントレイとその周辺の構成例を示す図である。図２０は、ペントレイの断面図である。図２０は、図１９に示す座標系を参照すると、ペントレイ１７０をＹＺ平面で切断した断面図になっている。
【０１３２】
ペントレイ１７０は、３本の電子ペン３００を収納するトレイであって、電子情報ボード１の本体２００のディスプレイ２０１の下部に取り付けられている（図１参照）。図１９に示すように、ペントレイ１７０は、載置面１７１と、側面１７２、１７３、１２４、１２５と、送電コイル１０２ａ、１０２ｂ、１０２ｃ、１０３ａ、１０３ｂ、１０３ｃとを備えている。
【０１３３】
載置面１７１は、３本の電子ペン３００が載置されるペントレイ１７０の底面であって、載置部の一例である。図２０に示すように、載置面１７１には、３本の電子ペン３００が収納される際に、それぞれの電子ペン３００を所定の載置位置にガイドするガイド部材１７４を有している。そして、載置面１７１は、電子ペン３００の外観形状に合わせて、断面が半円形状の３つの曲面を有している。
【０１３４】
ガイド部材１７４は、電子ペン３００の短手方向（Ｚ軸方向）に並んでまっすぐに置かれるように、図２０に示すように各電子ペン３００の間に設けられている。
【０１３５】
側面１７２、１７３、１２４、１２５は、載置面１７１の各辺に接続され、載置面１７１とともに容器を形成するペントレイ１７０の側面である。側面１７２、１７３、１２４、１２５により、電子ペン３００を収納可能なペントレイ１７０の開口部が形成される。この開口部は、ペントレイ１７０の長手方向の内寸Ｌ７が電子ペン３００の長さＬ０と同等（Ｌ７≒Ｌ０）であり、ペントレイ１７０に電子ペン３００が収納されると、ペン尻がペントレイ１７０の側面１７２または側面１７３の内壁に接する、または近接する構成になっている。ただし、ペントレイ１７０の長手方向の内寸Ｌ７が電子ペン３００の長さＬ０より小さくなっていることはない。また、ペントレイ１７０の短手方向の内寸Ｗ７が、電子ペン３００の太さＷ０に収納本数（ここでは３本）をかけた値と同等かそれ以上（Ｗ７≧３Ｗ０）となっている。
【０１３６】
送電コイル１０２ａ、１０２ｂ、１０２ｃ、１０３ａ、１０３ｂ、１０３ｃは、載置面１７１に３本の電子ペン３００が載置された場合、それぞれの電子ペン３００の受電コイル３８が設けられた端部が接する側の側面１７２、１７３にそれぞれ設けられている。また、送電コイル１０２ａ〜１０２ｃ、１０３ａ〜１０３ｃは、載置面１７１に載置されたそれぞれの電子ペン３００の受電コイル３８に沿う方向、すなわちそれぞれの受電コイル３８に平行になるよう設けられている。送電コイル１０２ａ〜１０２ｃ、１０３ａ〜１０３ｃは、インバータ２３０ａ〜２３０ｃから受けた交流電流を流し、周辺に磁束を生じさせる。
【０１３７】
本実施形態では、電子ペン３００の長手方向がペントレイ１７０の長手方向（Ｘ軸方向）になるように電子ペン３００を載置して収納する。また、電子ペン３００は、ペン先３３が側面１７３に向く方向、およびペン先３３が側面１７２に向く方向のいずれにも載置される。従って、送電コイル１０２ａ〜１０２ｃ、１０３ａ〜１０３ｃは、載置面１７１の長手方向の両端部に接続された側面１７２、１７３それぞれに設けられている。
【０１３８】
このように、第７の実施形態の電子情報ボード１では、電子ペン３００の長さとペントレイ１７０の長手方向の内寸が同等であって、ペントレイ１７０の両端部の側面１７２、１７３に送電コイル１０２ａ〜１０２ｃ、１０３ａ〜１０３ｃが設けられている。従って、ユーザは３本の電子ペン３００をペントレイ１７０の長手方向に沿って載置すれば、電子ペン３００の向きに関係なく、電子ペン３００の受電コイル３８とペントレイ１７０の送電コイル１０２ａ〜１０２ｃ、１０３ａ〜１０３ｃの位置合わせができる。このため、他の構成部品を増加させることなく、電子ペン３００をペントレイ１７０に載置する際に容易に位置合わせができ、効率よく給電することができる。また、本実施形態のペントレイ１７０は、複数本の電子ペン３００に対して同時に給電することができる。
【０１３９】
（第８の実施形態）
第１の実施形態の電子情報ボードは、ペントレイの長手方向の長さと電子ペンの長さを同等にして、ペントレイの両端部の側面に送電コイルを設けた構成となっていた。これに対し、本実施形態の電子情報ボードでは、ペントレイの送電コイルと電子ペンの受電コイルに電流を流すことで磁性を持たせ、お互いのコイル間に引力を発生させる構成となっている。
【０１４０】
まず、アンペールの法則について説明する。図２１は、アンペールの法則に関する説明図である。アンペールの法則を簡単に述べると、導線に電流が流れると磁界が発生する法則である。
【０１４１】
図２１（ａ）に示すように、右手の親指を導線に流れる電流Ａ１の向きに向けた場合、磁界Ｍ１が発生する向きはその他４本の指が向く方向となる。この法則をコイルに応用すると、図２１（ｂ）に示すように、電線を巻いたコイルに直流電流Ａ２を流すと磁界Ｍ２が発生し、磁極（Ｓ極およびＮ極）を持たせることができる。図２１（ｂ）では、右手の親指以外の４本の指の向く方向に電流が流れると、親指の方向にＮ極、その反対がＳ極になる。本実施形態では、コイルに直流を流すことで磁極が発生する性質を利用して、電子ペンの位置合わせを行うものである。
【０１４２】
電子情報ボードの全体構成、ハードウェア構成、電子ペンの構成については、第１の実施形態と同様である（図１〜３、５参照）。
【０１４３】
次に、本実施形態のペントレイ１８０の詳細について説明する。図２２は、第８の実施形態のペントレイとその周辺の構成例を示す図である。
【０１４４】
ペントレイ１８０は、電子情報ボード１の本体２００のディスプレイ２０１の下部に取り付けられている（図１参照）。図２２に示すように、ペントレイ１８０は、載置面１８１と、側面１８２、１８３、１８４、１８５と、送電コイル１０２と、ペン載置検知部１８８と、ペン接触検知部１８９と、を備えている。
【０１４５】
載置面１８１は、電子ペン３００が載置されるペントレイ１８０の底面であって、ペン載置検知部１８８を備えている。ペン載置検知部１８８は、例えば、載置面１８１の中央付近に設けられており、載置面１８１上に電子ペン３００が載置されたことを検知する。詳細は後述する。
【０１４６】
側面１８２〜１８５は、載置面１８１の各辺に接続され、載置面１８１とともに容器を形成するペントレイ１８０の側面である。側面１８２〜１８５により、電子ペン３００を収納可能なペントレイ１８０の開口部が形成される。この開口部は、ペントレイ１８０の長手方向の内寸Ｌ８が電子ペン３００の長さＬ０と同等またはそれ以上（Ｌ８≧Ｌ０）である。また、ペントレイ１８０の短手方向の内寸Ｗ８が電子ペン３００の太さＷ０と同等かそれ以上（Ｗ８≧Ｗ０）となっている。
【０１４７】
また、側面１８２には、ペン接触検知部１８９を備えている。ペン接触検知部１８９は、側面１８２の内壁側、すなわち電子ペン３００のペン尻が接触する面に設けられており、電子ペン３００が側面１８２に接触したことを検知する。詳細は後述する。
【０１４８】
送電コイル１０２は、載置面１８１に電子ペン３００が載置された場合、電子ペン３００の受電コイル３８が設けられた端部（ペン尻）が接する側の側面１８２に設けられている。また、送電コイル１０２は、載置面１８１に載置された電子ペン３００の受電コイル３８に沿う方向、すなわち受電コイル３８に平行になるよう設けられている。送電コイル１０２は、インバータ２３０から受けた交流電流を流し、周辺に磁束を生じさせる。
【０１４９】
次に、本実施形態の電子情報ボード１の機能構成について説明する。図２３は、第８の実施形態の電子情報ボードの機能構成を示すブロック図である。図２３に示すように、本実施形態の電子情報ボード１は、画像取得部２２３と、レイアウト管理部２２９と、イベント処理部２２８と、描画生成部２２４と、アプリ画像生成部２２５と、画像合成部２２６と、表示制御部２２７と、電流制御部２９２と、送受信部２９３とを主に備えて構成されている。ここで、画像取得部２２３、レイアウト管理部２２９、イベント処理部２２８、描画生成部２２４、アプリ画像生成部２２５、画像合成部２２６、および表示制御部２２７の機能および構成は、第１の実施形態と同様である。
【０１５０】
また、本実施形態のペントレイ１８０は、ペン載置検知部１８８と、ペン接触検知部１８９と、送受信部１８６と、電流制御部１８７と、を備えている。
【０１５１】
ペン載置検知部１８８は、電子ペン３００がペントレイ１８０に載置されたことを検知するものであり、具体的には、例えば、プッシュスイッチなどが挙げられる。すなわち、電子ペン３００が載置面１８１に載置され力が働くと、プッシュボタンが押下される仕組みとなっている。また、ペン載置検知部１８８は、載置された物体、ここでは電子ペン３００の重量を検知する機能を有している。ペン載置検知部１８８は、載置検知部の一例である。
【０１５２】
ペン接触検知部１８９は、電子ペン３００が送電コイル１０２の設けられた側面１８２に接触したことを検知するものであり、具体的には、例えば、上記と同様にプッシュスイッチなどが挙げられる。すなわち、電子ペン３００の受電コイル３８とペントレイ１８０の送電コイル１０２が直流電流によって磁性を持つことによって引力が生まれ、互いに引き付け合うと、電子ペン３００が矢印Ｆ方向に移動し、受電コイル３８とペントレイ１８０の送電コイル１０２が接近する。そして、電子ペン３００のペン尻がペントレイ１８０に接触し、プッシュスイッチが押下される仕組みとなっている。ペン接触検知部１８９は、接触検知部の一例である。
【０１５３】
また、ペン接触検知部１８９は、磁気センサの機能を有し、外的要因によって受電コイル３８と送電コイル１０２（図２３参照）との接触を検知できない場合、その旨を通知する機能を有する。通知方法は、アラームの報知等が挙げられる。これにより、電子ペン３００が発する磁力の強さで、送電コイル１０２と受電コイル３８の距離感を判断することができ、ユーザに充電できていないことを通知することができる。
【０１５４】
電流制御部２９２は、ペントレイ１８０に設けられた送電コイル１０２に流す電流を制御するものである。具体的には、電流制御部２９２は、ペン載置検知部１８８により電子ペン３００が検知された場合、送電コイル１０２に直流電流を流して磁力を発生させる。
【０１５５】
また、電流制御部２９２は、ペン接触検知部１８９により電子ペン３００が側面１８２に接したことが検知された場合、送電コイル１０２に交流電流を流す。このとき、電流制御部２９２は、ペン載置検知部１８８により検知された重量と予め記憶された電子ペン３００の重量とを比較し、両者が同じ重量であった場合電子ペン３００であると判断し、送電コイル１０２に交流電流を流す構成にしてもよい。これにより、特定の重さ（電子ペン３００）の物がペントレイ１８０に置かれた時のみ給電動作を行うことが可能となるので、誤検知を防止することができる。電流制御部２９２は、第２電流制御部の一例である。
【０１５６】
送受信部２９３は、電子ペン３００との間で信号を無線で送受信するものである。送受信部２９３は、ペン載置検知部１８８により電子ペン３００が検知された場合、受電コイル３８に直流電流を流す旨の指示信号を電子ペン３００に送信する。
【０１５７】
また、送受信部２９３は、ペン接触検知部１８９により電子ペン３００が側面１８２に接したことが検知された場合、受電コイル３８へ流している直流電流を停止する旨の給電開始信号を電子ペン３００に送信する。このとき、電流制御部２９２により重量から電子ペン３００であると判断された場合、給電開始信号を電子ペン３００に送信する構成にしてもよい。送受信部２９３は、第２送受信部の一例である。
【０１５８】
電流制御部１８７は、受電コイル３８に流す電流を制御するものである。具体的には、電流制御部１８７は、指示信号を受信した場合、受電コイル３８に直流電流を流して磁力を発生させる。また、電流制御部１８７は、給電開始信号を受信した場合、受電コイル３８に流している直流電流を停止し、受電させる。電流制御部１８７は、第１電流制御部の一例である。
【０１５９】
送受信部１８６は、ペントレイ１８０との間で信号を無線で送受信するものである。送受信部１８６は、指示信号や給電開始信号を受信し、電流制御部１８７に送出する。送受信部１８６は、第１送受信部の一例である。
【０１６０】
次に、電子ペンの給電処理の流れについて説明する。図２４は、本実施形態の電子情報ボードにおける電子ペンの給電処理の流れを示すフローチャートである。
【０１６１】
まず、ペントレイ１８０の電流制御部２９２は、ペン載置検知部１８８がペントレイ１８０に電子ペン３００が載置されたことを検知したか否かを判断し（ステップＳ１２１）、検知していない場合（ステップＳ１２１：Ｎｏ）、検知するまで待機する。
【０１６２】
一方、電子ペン３００が載置されたことを検知した場合（ステップＳ１２１：Ｙｅｓ）、電流制御部２９２は、送電コイル１０２に磁極を発生させるために直流電流を流す（ステップＳ１２２）。送受信部２９３は、受電コイル３８に直流電流を流す旨の指示信号（給電位置の調整開始のトリガー信号）を、電子ペン３００に無線で送信する（ステップＳ１２３）。
【０１６３】
電子ペン３００の送受信部１８６は、ペントレイ１８０から指示信号を受信すると（ステップＳ１２４）、電流制御部１８７は、受電コイル３８に磁極を発生させるために直流電流を流す（ステップＳ１２５）。
【０１６４】
そうすると、送電コイル１０２および受電コイル３８に直流電流が流れていることによって、両コイルには引力が生じるように磁性が発生する。この引力によって送電コイル１０２と受電コイル３８が接近していき、その結果、送電コイル１０２が設けられた側面１８２に、電子ペン３００のペン尻が接触する。
【０１６５】
次に、ペントレイ１８０の電流制御部２９２は、ペン接触検知部１８９がペントレイ１８０の側面１８２に電子ペン３００が接触したことを検知したか否かを判断し（ステップＳ１２６）、検知していない場合（ステップＳ１２６：Ｎｏ）、ステップＳ１２６に戻って処理を繰り返す。
【０１６６】
一方、電子ペン３００が接触したことを検知した場合（ステップＳ１２６：Ｙｅｓ）、電流制御部２９２は、送電コイル１０２に給電を行うための交流電流を流す（ステップＳ１２７）。送受信部２９３は、受電コイル３８に直流電流を停止する旨の給電開始信号（給電開始のトリガー信号）を、電子ペン３００に無線で送信する（ステップＳ１２８）。
【０１６７】
電子ペン３００の送受信部１８６は、ペントレイ１８０から給電開始信号を受信すると（ステップＳ１２９）、電流制御部１８７は、受電コイル３８に流している直流電流を停止し（ステップＳ１３０）、受電を行う（ステップＳ１３１）。これにより、送電コイル１０２から受電コイル３８に給電が行われる。
【０１６８】
このように、第８の実施形態の電子情報ボード１では、電子ペン３００の長さとペントレイ１８０の長手方向の内寸が同等かそれ以上で、載置面１８１にペン載置検知部１８８が設けられ、側面１８２にペン接触検知部１８９が設けられている。そして、ユーザが電子ペン３００をペントレイ１８０の長手方向に沿わせ、ペン尻を側面１８２に向けて載置して送電コイル１０２および受電コイル３８に直流電流を流すことにより磁性による引力が生じ、電子ペン３００が側面１８２に接触する。その後、送電コイル１０２および受電コイル３８に交流電流を流すことにより給電が行われる。このため、電子ペン３００をペントレイ１８０に載置する際に容易に位置合わせができ、効率よく給電することができる。
【０１６９】
本実施形態では、送電コイルを載置面１８１の長手方向の一端に接続された側面１８２に設けた構成となっているが、第１の実施形態と同様に、載置面１８１の長手方向の両端部に接続された側面１８２、１８３にそれぞれに設けられた構成としてもよい。この場合、電子ペン３００の向きを気にせずにペントレイ１８０に置くことができる。
【０１７０】
本実施形態では、ペントレイに電子機器として電子ペンを収納する場合の給電について説明したが、電子ペン以外でもよい。すなわち、例えば、電子情報ボードにリモコンやレーザーポインタなどが備わっている場合、これらの電子機器も電源を必要とするものであるため、本実施形態と同様に、トレイなどの置き台を設けてそこから無線で電力供給する構成にしてもよい。
【符号の説明】
【０１７１】
１  電子情報ボード
３１  バッテリ
３２  電源回路
３３  ペン先
３４  圧力センサ
３５  信号処理回路
３６  信号送信部
３７  整流回路
３８  受電コイル
１０２、１０３  送電コイル
１１０、１２０、１３０、１４０、１５０、１６０、１７０、１８０  ペントレイ
１１１、１２１、１３１ａ、１３１ｂ、１４１、１５１、１６１、１７１、１８１  載置面
１１２、１１３、１１４、１１５、１２２、１２３、１２４、１２５、１３２、１３３、１３４、１３５、１６２、１７２、１７３、１８２、１８３、１８４、１８５  側面
１４６  ローラ
１５７  ベルト
１６７  搬送機構
１６８、１８８  ペン載置検知部
１６９、１８９  ペン接触検知部
１７４  ガイド部材
１８６  送受信部
１８７  電流制御部
２００  本体
２０１  ディスプレイ
２１０  タッチパネル
２１１ａ、２１１ｂ  画像入力端子
２２３  画像取得部
２２４  描画生成部
２２５  アプリ画像生成部
２２６  画像合成部
２２７  表示制御部
２２８  イベント処理部
２２９  レイアウト管理部
２３０、２３０ａ、２３０ｂ、２３０ｃ  インバータ
２９１  搬送制御部
２９２  電流制御部
２９３  送受信部
３００  電子ペン
【先行技術文献】
【特許文献】
【０１７２】
【特許文献１】特表２０１４−５００１２２号公報
【図１】
2019106841.tif 000003
【図２】
2019106841.tif 000004
【図３】
2019106841.tif 000005
【図４】
2019106841.tif 000006
【図５】
2019106841.tif 000007
【図６】
2019106841.tif 000008
【図７】
2019106841.tif 000009
【図８】
2019106841.tif 000010
【図９】
2019106841.tif 000011
【図１０】
2019106841.tif 000012
【図１１】
2019106841.tif 000013
【図１２】
2019106841.tif 000014
【図１３】
2019106841.tif 000015
【図１４】
2019106841.tif 000016
【図１５】
2019106841.tif 000017
【図１６】
2019106841.tif 000018
【図１７】
2019106841.tif 000019
【図１８】
2019106841.tif 000020
【図１９】
2019106841.tif 000021
【図２０】
2019106841.tif 000022
【図２１】
2019106841.tif 000023
【図２２】
2019106841.tif 000024
【図２３】
2019106841.tif 000025
【図２４】
2019106841.tif 000026